(57)【特許請求の範囲】
【請求項１】
間接活線工法において電柱上部に断面矩形で延在する腕金及び該腕金の上面に配置された碍子を被覆する間接活線工事用絶縁保護カバーにおいて、
上記腕金の一方の側面を被覆する第１側面カバー部と、該第１側面カバー部の上縁に沿って折曲して腕金の上面の一部を被覆する第１上面カバー部と、第１上面カバー部に連続形成されて上記碍子を被覆する半割筒状の第１碍子保持部とが一体形成された第１カバー部と、
該第１カバー部と対峙して上記腕金の他方の側面を被覆する第２側面カバー部と、該第２側面カバー部の上縁に沿って折曲して腕金の上面の一部を被覆すると共に第１上面カバー部の端縁に当接可能な端縁を有する第２上面カバー部と、第２上面カバー部に連続形成されて上記碍子を被覆する半割筒状の第２碍子保持部とが一体形成された第２カバー部と、
上記腕金の下面を被覆すると共に両端がそれぞれヒンジを介在して上記第１カバー部の下縁及び第２カバー部の下縁間に架設された下面カバー部と、
上記第１上面カバー部及び第２上面カバー部の互いの端縁を当接状態に吸着保持する第１カバー部及び第２カバー部に設けられた永久磁石と、
上記第１上面カバー部及び第２上面カバー部の互いの端縁を当接状態に互いに接合して保持する第１カバー部及び第２カバー部にそれぞれ設けられた面ファスナと、
を備えたことを特徴とする間接活線工事用絶縁保護カバー。
【請求項２】
間接活線工法において電柱上部に断面矩形で延在する腕金及び該腕金の上面に配置された碍子を被覆する間接活線工事用絶縁保護カバーにおいて、
上記腕金の一方の側面を被覆する第１側面カバー部と、該第１側面カバー部の上縁に沿って折曲して腕金の上面の一部を被覆する第１上面カバー部と、第１上面カバー部に連続形成されて上記碍子を被覆する半割筒状の第１碍子保持部とが一体形成された第１カバー部と、
該第１カバー部と対峙して上記腕金の他方の側面を被覆する第２側面カバー部と、該第２側面カバー部の上縁に沿って折曲して腕金の上面の一部を被覆すると共に第１上面カバー部の端縁に当接可能な端縁を有する第２上面カバー部と、第２上面カバー部に連続形成されて上記碍子を被覆すると共に第１碍子保持部と対向する半割筒状の第２碍子保持部とが一体形成された第２カバー部と、
上記第１カバー部の下縁に延設された第１連結部の先端と上記第２カバー部の下端に延設された第２連結部の先端とを揺動可能に連結するヒンジと、
上記第１上面カバー部及び第２上面カバー部の互いの端縁を当接状態に吸着保持する第１カバー部及び第２カバー部に設けられた永久磁石と、
上記第１上面カバー部及び第２上面カバー部の互いの端縁を当接状態に互いに接合して保持する第１カバー部及び第２カバー部にそれぞれ設けられた面ファスナと、
を備えたことを特徴とする間接活線工事用絶縁保護カバー。
【請求項３】
上記第１上面カバー部に上記腕金に吸着する永久磁石を設けたことを特徴とする請求項１または２に記載の間接活線工事用絶縁保護カバー。
【請求項４】
間接活線工法において電柱上部に断面矩形で延在する腕金及び該腕金の上面に配置された碍子を被覆する間接活線工事用絶縁保護カバーにおいて、
上記腕金の一方の側面を被覆する第１側面カバー部と、該第１側面カバー部の上縁に沿って折曲して腕金の上面の一部を被覆する第１上面カバー部と、第１上面カバー部に連続形成されて上記碍子を被覆する半割筒状の第１碍子保持部とが一体形成された第１カバー部と、
該第１カバー部と対峙して上記腕金の他方の側面を被覆する第２側面カバー部と、該第２側面カバー部の上縁に沿って折曲して腕金の上面の一部を被覆すると共に第１上面カバー部の端縁に当接可能な端縁を有する第２上面カバー部と、第２上面カバー部に連続形成されて上記碍子を被覆すると共に第１碍子保持部と対向する半割筒状の第２碍子保持部とが一体形成された第２カバー部と、
上記第１カバー部の下縁に延設された第１連結部の先端と上記第２カバー部の下端に延設された第２連結部の先端とがそれぞれ第１ヒンジ及び第２ヒンジを介して揺動自在に連結されると共に腕金に設けられた支持ピンのボルト部に装着可能な装着部を備えたホルダと、
上記第１上面カバー部及び第２上面カバー部の互いの端縁を当接状態に吸着保持する第１カバー部及び第２カバー部に設けられた永久磁石と、
上記第１上面カバー部及び第２上面カバー部の互いの端縁を当接状態に互いに接合して保持する第１カバー部及び第２カバー部にそれぞれ設けられた面ファスナと、
を備えたことを特徴とする間接活線工事用絶縁保護カバー。
【請求項５】
上記第１カバー部及び第２カバー部に作業工具によって把持可能な把持部を備えたことを特徴とする請求項１〜４のいずれか１項に記載の間接活線工事用絶縁保護カバー。
【発明の詳細な説明】
【技術分野】
【０００１】
本発明は、間接活線工法において、作業中の感電事故や短絡・地絡事故を未然に防止するために電配線に関わる電柱上部の腕金、碍子などの配電線関連機器を被覆する間接活線工事用絶縁保護カバーに関する。
【背景技術】
【０００２】
近年の一般家庭や事業所等におけるコンピュータ等のＯＡ機器や他の電気製品の飛躍的な普及により、停電時間を設けずに配電線関連の点検や改修等の電気工事を行う活線工法が主流となっている。
【０００３】
しかし、この活線工法では、配電線などに通電したままの状態で作業が行われることから、作業中の感電事故、短絡・地絡事故等が起こる可能性が高く、これらの事故を未然に防止することを目的として、配電線、腕金、碍子などの配電線関連機を防護用絶縁シートで被覆するのが一般的であった。
【０００４】
かかる防護用絶縁シートの一例として特許文献１がある。この特許文献１に示される防護用絶縁シートは、絶縁性のあるゴムシート又は樹脂シートからなる柔軟な電気絶縁シートに、その電気絶縁シートを二つ折りに曲げた際に互いに対向する相対位置に磁力によって互いに接合可能な複数の永久磁石を配置して構成される。
【０００５】
この防護用絶縁シートを配電線に沿わせて二つ折りに折り曲げて被覆するように吊り下げることで、対向する永久磁石の吸着力によって配電線に巻き付けられる。また、この防護用絶縁シートを角型中空鋼材からなる腕金に沿わせて被覆するよう配置し、永久磁石により腕金の表面に吸着固定する。
【先行技術文献】
【特許文献】
【０００６】
【特許文献１】特開２００６−３４０４６２号公報
【発明の概要】
【発明が解決しようとする課題】
【０００７】
上記特許文献１によると、防護用絶縁シートを二つ折りにして配電線などに吊り下げることで、対向する永久磁石が互いに吸着して配電線などに防護用絶縁シートが固定され、配電線の絶縁被覆が可能になる。また、防護用絶縁シートを腕金に沿わせて被覆するよう配置し、永久磁石により腕金の表面に吸着固定することで腕金を部分的に被覆絶縁できる。
【０００８】
しかし、この柔軟な防護用絶縁シートの配電線への装着は、絶縁作業工具、例えば絶縁ヤットコ等の操作により二つ折りした防護用絶縁シートの中央部を正確に配電線上に位置決めして吊り下げ、更に対向する永久磁石を吸着して配電線に装着する作業は極めて厄介で多くの作業時間を要し、作業者に大きな作業負担が要求される。また、その作業に熟練を要する。同様に絶縁作業工具により防護絶縁シートを腕金の所定箇所に正確に配置して永久磁石により腕金の表面に吸着固定する作業においても極めて厄介で多くの作業時間を要し、作業者に大きな作業負担が要求され、かつその作業に熟練を要する。
【０００９】
また、永久磁石の吸着力が小さい場合には、工事中に作業工具が防護用絶縁シートに接触した際に、防護用絶縁シートがずれて配電線や腕金の被覆が完全でなく、地絡・短絡を十分に防止できない事態を招くおそれがある。一方、永久磁石の吸着力が大きい場合には、防護用絶縁シートの配電線や腕金等への位置決め作業が更に厄介になると共に、絶縁棒による配電線や腕金から防護用絶縁シートの取り外し作業も厄介になる。
【００１０】
従って、活線状態で電気工事を行う際、簡単な作業により容易かつ確実に配電線関連機器等の被覆及び取り外しが可能で作業者への作業負担が軽減される間接活線工事用絶縁保護カバーを提供することにある。
【課題を解決するための手段】
【００１１】
上記目的を達成する請求項１に記載の間接活線工事用絶縁保護カバーの発明は、間接活線工法において電柱上部に断面矩形で延在する腕金及び該腕金の上面に配置された碍子を被覆する間接活線工事用絶縁保護カバーにおいて、上記腕金の一方の側面を被覆する第１側面カバー部と、該第１側面カバー部の上縁に沿って折曲して腕金の上面の一部を被覆する第１上面カバー部と、第１上面カバー部に連続形成されて上記碍子を被覆する半割筒状の第１碍子保持部とが一体形成された第１カバー部と、該第１カバー部と対峙して上記腕金の他方の側面を被覆する第２側面カバー部と、該第２側面カバー部の上縁に沿って折曲して腕金の上面の一部を被覆すると共に第１上面カバー部の端縁に当接可能な端縁を有する第２上面カバー部と、第２上面カバー部に連続形成されて上記碍子を被覆する半割筒状の第２碍子保持部とが一体形成された第２カバー部と、上記腕金の下面を被覆すると共に両端がそれぞれヒンジを介在して上記第１カバー部の下縁及び第２カバー部の下縁間に架設された下面カバー部と、上記第１上面カバー部及び第２上面カバー部の互いの端縁を当接状態に吸着保持する第１カバー部及び第２カバー部に設けられた永久磁石と、上記第１上面カバー部及び第２上面カバー部の互いの端縁を当接状態に互いに接合して保持する第１カバー部及び第２カバー部にそれぞれ設けられた面ファスナとを備えたことを特徴とする。
【００１２】
これによると、絶縁作業工具等の操作により第１カバー本体の第１碍子保持部を碍子本体に嵌合させて第１上面カバー部を腕金の上面に係止し、ヒンジを中心に下面カバー部を揺動して腕金の下面に当接させた後、第２カバー本体を上方に揺動することで永久磁石が吸着して第１カバー本体と第２カバー本体が仮固定される。この仮固定された状態で互いに面ファスナを接合する簡単な作業により絶縁保護カバーを強固に所定位置に取り付けることができ、作業者への作業負担が軽減される。
【００１３】
更に、碍子を第１碍子保持部及び第２碍子保持部が嵌合被覆すると共に第１カバー本体及び第２カバー本体によって腕金を被覆することから、確実に碍子及び腕金を所定の範囲に亘って被覆した状態に保持できる。
【００１４】
上記目的を達成する請求項２に記載の間接活線工事用絶縁保護カバーの発明は、間接活線工法において電柱上部に断面矩形で延在する腕金及び該腕金の上面に配置された碍子を被覆する間接活線工事用絶縁保護カバーにおいて、上記腕金の一方の側面を被覆する第１側面カバー部と、該第１側面カバー部の上縁に沿って折曲して腕金の上面の一部を被覆する第１上面カバー部と、第１上面カバー部に連続形成されて上記碍子を被覆する半割筒状の第１碍子保持部とが一体形成された第１カバー部と、該第１カバー部と対峙して上記腕金の他方の側面を被覆する第２側面カバー部と、該第２側面カバー部の上縁に沿って折曲して腕金の上面の一部を被覆すると共に第１上面カバー部の端縁に当接可能な端縁を有する第２上面カバー部と、第２上面カバー部に連続形成されて上記碍子を被覆すると共に第１碍子保持部と対向する半割筒状の第２碍子保持部とが一体形成された第２カバー部と、上記第１カバー部の下縁に延設された第１連結部の先端と上記第２カバー部の下端に延設された第２連結部の先端とを揺動可能に連結するヒンジと、上記第１上面カバー部及び第２上面カバー部の互いの端縁を当接状態に吸着保持する第１カバー部及び第２カバー部に設けられた永久磁石と、上記第１上面カバー部及び第２上面カバー部の互いの端縁を当接状態に互いに接合して保持する第１カバー部及び第２カバー部にそれぞれ設けられた面ファスナとを備えたことを特徴とする。
【００１５】
これによると、絶縁作業工具等の操作により第１カバー本体の第１碍子保持部を碍子本体に嵌合させて第１上面カバー部を腕金の上面に係止し、ヒンジを中心に第２カバー本体を上方に揺動することで互いの永久磁石が吸着して第１カバー本体と第２カバー本体が仮固定される。この仮固定された状態で互いに面ファスナを接合する簡単な作業により絶縁保護カバーを強固に所定位置に取り付けることができ、作業者への作業負担が軽減される。更に、碍子を第１碍子保持部及び第２碍子保持部が嵌合被覆すると共に第１カバー本体及び第２カバー本体によって腕金を被覆することから、確実に碍子及び腕金を所定の範囲に亘って被覆した状態に保持できる。
【００１６】
請求項３に記載の発明は、請求項１または２の間接活線工事用絶縁保護カバーにおいて、上記第１上面カバー部に上記腕金に吸着する永久磁石を設けたことを特徴とする。
【００１７】
これによると、絶縁作業工具の操作により第１カバー本体の第１碍子保持部を碍子本体に嵌合させて腕金に第１上面カバー部を腕金の上面に係止しすることで、永久磁石によって第１上面カバー部が腕金に吸着して第１カバー本体１１が腕金１に位置決めされた状態で固定され、より作業性が向上して作業者への作業負担が軽減される。
【００１８】
上記目的を達成する請求項４に記載の間接活線工事用絶縁保護カバーの発明は、間接活線工法において電柱上部に断面矩形で延在する腕金及び該腕金の上面に配置された碍子を被覆する間接活線工事用絶縁保護カバーにおいて、上記腕金の一方の側面を被覆する第１側面カバー部と、該第１側面カバー部の上縁に沿って折曲して腕金の上面の一部を被覆する第１上面カバー部と、第１上面カバー部に連続形成されて上記碍子を被覆する半割筒状の第１碍子保持部とが一体形成された第１カバー部と、該第１カバー部と対峙して上記腕金の他方の側面を被覆する第２側面カバー部と、該第２側面カバー部の上縁に沿って折曲して腕金の上面の一部を被覆すると共に第１上面カバー部の端縁に当接可能な端縁を有する第２上面カバー部と、第２上面カバー部に連続形成されて上記碍子を被覆すると共に第１碍子保持部と対向する半割筒状の第２碍子保持部とが一体形成された第２カバー部と、上記第１カバー部の下縁に延設された第１連結部の先端と上記第２カバー部の下端に延設された第２連結部の先端とがそれぞれ第１ヒンジ及び第２ヒンジを介して揺動自在に連結されると共に腕金に設けられた支持ピンのボルト部に装着可能な装着部を備えたホルダと、上記第１上面カバー部及び第２上面カバー部の互いに端縁が当接状態に吸着保持する第１カバー部及び第２カバー部に設けられた永久磁石と、上記第１上面カバー部及び第２上面カバー部の互いに端縁が当接状態に互いに接合して保持する第１カバー部及び第２カバー部にそれぞれ設けられた面ファスナと、を備えたことを特徴とする。
【００１９】
これによると、絶縁作業工具の操作によりホルダを腕金に設けられた支持ピンのボルト部に取り付け、第１ヒンジを中心に第１カバー本体を揺動して第１碍子保持部を碍子本体に嵌合させて第１上面カバー部を腕金の上面を被覆し、第２ヒンジを中心に第２カバー本体を上方に揺動することで互いの永久磁石が吸着して第１カバー本体と第２カバー本体が仮固定される。この仮固定された状態で、この仮固定された状態で互いに面ファスナを接合する簡単な作業により絶縁保護カバーを強固に所定位置に取り付けることができ、作業者への作業負担が軽減される。更に、碍子を第１碍子保持部及び第２碍子保持部が嵌合被覆すると共に第１カバー本体及び第２カバー本体によって腕金を被覆することから、確実に碍子及び腕金を所定の範囲に亘って被覆した状態に保持できる。
【００２０】
請求項５に記載の発明は、請求項１〜４のいずれか１項に記載の間接活線工事用絶縁保護カバーにおいて、上記第１カバー部及び第２カバー部に絶縁作業工具によって把持可能な把持部を備えたことを特徴とする。
【００２１】
これによると、第１カバー部及び第２カバー部に作業工具によって把持可能な把持部を設けることで、絶縁作業工具による作業性が向上する。
【発明の効果】
【００２２】
本発明によると、絶縁作業工具等の操作により第１カバー本体の第１碍子保持部を碍子本体に嵌合させて第１上面カバー部を腕金の上面に係止し、第２カバー本体の第２碍子保持部を碍子本体に嵌合させて腕金に第２上面カバー部を係止することで永久磁石が吸着して第１カバー本体と第２カバー本体が仮固定され、この仮固定された状態で互いに面ファスナを接合する簡単な作業により絶縁保護カバーを強固に所定位置に取り付けることができ、作業者への作業負担が軽減される。
【図面の簡単な説明】
【００２３】
【図１】第１実施の形態の概要を示す腕金及びピン碍子と絶縁保護カバーの展開状態を示す説明図である。
【図２】図１における絶縁保護カバーのＩＩ矢視図である。
【図３】図１のＩＩＩ−ＩＩＩ線断面図である。
【図４】絶縁保護カバーの装着状態を示す斜視図である。
【図５】絶縁保護カバーの取付手順の説明図である。
【図６】絶縁保護カバーの取付手順の説明図である。
【図７】第２実施の形態の概要を示す腕金及びピン碍子と絶縁保護カバーの展開状態を示す説明図である。
【図８】絶縁保護カバーの装着状態を示す斜視図である。
【図９】絶縁保護カバーの取付手順の説明図である。
【図１０】第３実施の形態の概要を示す絶縁保護カバーの展開状態を示す説明図である。
【図１１】ホルダの側面図である。
【図１２】絶縁保護カバーの装着状態を示す斜視図である。
【図１３】絶縁保護カバーの装着状態を示す図１２のＸＩＩＩ矢視図である。
【図１４】絶縁保護カバーの取付手順の説明図である。
【図１５】ホルダの説明図である。
【図１６】ホルダの説明図である。
【発明を実施するための形態】
【００２４】
本発明による間接活線工事用絶縁保護カバーの実施の形態を図を参照して説明する。
【００２５】
（第１実施の形態）
本発明の間接活線工事絶縁保護カバーの第１実施の形態を、活線工事にあたり、電柱上の配電線関連機器である腕金及び腕金に取り付けられるピン碍子のスカート部分を絶縁被覆する絶縁保護カバーを例に図１乃至図６を参照して説明する。
【００２６】
図１は腕金及びピン碍子と絶縁保護カバーの展開状態を示す説明図、図２は図１における絶縁保護カバーのＩＩ矢視図、図３は図１のＩＩＩ−ＩＩＩ線断面図、図４は絶縁保護カバーの装着状態を示す斜視図、図５及び図６は絶縁保護カバーの取付手順の説明図である。
【００２７】
絶縁保護カバー１０の説明に先立ち、絶縁保護カバー１０により絶縁被覆する腕金１及びピン碍子６の概要を図１を参照して説明する。
【００２８】
電柱に取り付けられる腕金１は、上面２、この上面２の両縁にそれぞれ沿って下方に延在する第１側面３及び第２側面４、両側面３、４の下端縁間を連結する下面５を有して略水平方向に延在する幅Ｗ、高さＨの角形中空状鋼材によって形成される。腕金１の碍子取付部に対応して上面２及び下面５に図示しないピン挿通穴が穿孔される。
【００２９】
一方、ピン碍子６は、６号ピン碍子と呼称されるもので、碍子本体７及び支持ピン８によって構成される。碍子本体７はキャップ部分７ａとスカート部７ｂとその間に位置して配電線を係留させるネック部７ｃとからなる。この碍子本体７の基部に碍子本体７と同軸に支持ピン８が突設される。支持ピン８の先端部に腕金１のピン挿通穴に挿入可能なボルト部８ａが形成され、かつボルト部８ａの基端側に環状のストッパ８ｂが形成される。
【００３０】
このピン碍子６は、その支持ピン８のボルト部８ａを腕金１の上面２に開口するピン挿通穴から挿入し、下面５のピン挿通穴を貫通させてストッパ８ｂが上面２に当接した状態でボルト部８ａにナット９を締結して腕金１に固定される。
【００３１】
絶縁保護カバー１０は、図１に展開状態を示し、図４に取り付け状態を示すように剛性を有する合成樹脂で形成された第１カバー本体１１、第２カバー本体２１、第１カバー本体１１と第２カバー本体２１を互いに揺動可能に連結する一対の連結部である下面カバー部３７、３８によって構成される。
【００３２】
第１カバー本体１１は、予め設定された腕金１の被覆幅に亘って第１側面３を被覆可能なように上縁１２ａから下縁１２ｂの寸法が腕金１の高さＨより若干大きな矩形平板状の第１側面カバー部１２と、この第１側面カバー部１２の上縁１２ａに沿ってＬ字状に折曲して腕金１の上面２の一部、本実施の形態では上面２の約１／２の幅に亘って範被覆可能な上縁１２ａから端縁１３ａ、１４ａまでの幅を有する矩形平板状の第１上面カバー部１３、１４を有し、第１上部カバー部１３の内方端と第１カバー部１４の内方端の離間距離が碍子本体７の径より若干大きな寸法に設定される。
【００３３】
この第１上面カバー部１３の内方端と第１上面カバー部１４の内方端に連続して互いに対峙する矩形平板状の側壁部１６、１７及び第１側面カバー部１２に連続して側壁部１６、１７間に掛け渡される矩形平板状の側壁部１８からなる半割筒状の第１碍子保持部１５が一体形成される。この第１碍子保持部１５は、側壁部１６、１７、１８の上端側から側壁部１６、１７の端縁１６ａ、１７ａ側に連続して開放する開放部が形成される。第１上面カバー部１３、１４の下面１３ｂ、１４ｂから側壁部１６、１７、１８の上端までの高さは、腕金１の上面２から碍子６のスカート部７ｂの中間高さに設定される。更に、側壁部１８の外面にリブ状に突出する把持部１９が形成される。
【００３４】
各第１上面カバー部１３、１４の下面１３ｂ、１４ｂ及び側壁部１６、１７の端縁１６ａ、１７ａに永久磁石１３Ｍ、１４Ｍ、１６Ｍ、１７Ｍが設けられる。また、各第１上面カバー部１３、１４の上面１３ｃ、１４ｃにそれぞれ帯状の面ファスナ１３Ｆ、１４Ｆが貼着される。
【００３５】
第２カバー本体２１は、第１カバー本体１１とほぼ同形状で、予め設定された腕金１の被覆幅に亘って第２側面４を被覆可能な上縁２２ａから下縁２２ｂの寸法が腕金１の高さＨより若干大きな矩形平板状の第２側面カバー部２２と、この第２側面カバー部２２の上縁２２ａに沿ってＬ字状に折曲されて腕金１の上面２の一部、本実施の形態では上面２の約１／２の幅に亘って範被覆可能な上縁２２ａから端縁２３ａ、２４ａまでの幅を有する矩形平板状の第２上面カバー部２３、２４を有する。
【００３６】
この第２上面カバー部２３の内方端と第２上面カバー部２４の内方端に連続して互いに対峙する矩形平板状の側壁部２６、２７及び第２側面カバー部２２に連続して側壁部２６、２７間に掛け渡される矩形平板状の側壁部２８からなる半割筒状の第２碍子保持部２５が一体形成される。第２上面カバー部２３、２４の下面２３ｂ、２４ｂから側壁部２６、２７、２８の上端までの高さは、腕金１の上面２から碍子６のスカート部７ｂの中間高さに設定される。更に、側壁部２８の外面にリブ状に突出する把持部２９が形成される。
【００３７】
第２碍子保持部２５の各側壁部２６、２７の端縁２６ａ、２７ａに第１碍子保持部１５の各側壁部１６、１７に設けられた永久磁石１６Ｍ、１７Ｍと吸着可能な永久磁石２６Ｍ、２７Ｍが設けられる。
【００３８】
また、図３に図１のＩＩＩ−ＩＩＩ線断面図を示すように、第２上面カバー部２３の上面２３ｃに可撓性の帯状体３０の基端が取り付けられ、この帯状体３０の基端部上に帯状の面ファスナ２３Ｆが貼着される。更に、帯状体３０の先端部の両面にそれぞれ帯状の面ファスナ３１Ｆ、３２Ｆが貼設されている。図３に示すように帯状体３０を２つ折りにして面ファスナ３１Ｆを面ファスナ２３Ｆに接合することにより帯状体３０が第２上面カバー部２３の上面２３ｃに折り畳まれた状態に保持される。同様に、第２上面カバー部２４の上面２４ｃに可撓性の帯状体３３の基端部が取り付けられ、この帯状体３３の基端部の上面に帯状の面ファスナ２４Ｆが貼着され、帯状体３３の先端部の両面にそれぞれ帯状の面ファスナ３４Ｆ、３５Ｆが貼設される。
【００３９】
第１カバー本体１１の第１側面カバー部１２の下縁１２ｂにヒンジ３６ａ、３７ａを介在して平行配置される一対の下面カバー部３６、３７の一端が揺動可能に連結され、下面カバー部３６、３７の他端がそれぞれヒンジ３６ｂ、３７ｂを介在して第２カバー本体２１の第２側面カバー部２２の下端２２ｂに揺動可能に連結される。このヒンジ３６ａ、３７ａ、及びヒンジ３６ｂ、３７ｂを介在して第１側面カバー部１２の下縁１２ｂと第２側面カバー部２２の下縁２２ｂに架設される下面カバー部３６、３７は、それぞれ腕金１の下面５から突出する支持ピン８のボルト部８ａ及びナット９との当接を回避するようにナット９の径より大きく離間して平行配置され、下面カバー部３６、３７のヒンジ３６ａ、３７ａからヒンジ３６ｂ、３７ｂの寸法は腕金１の下面５の幅Ｗと同様或いは若干大きく設定される。
【００４０】
次に、絶縁保護カバー１０の取り付け方法について、図５及び図６に示す取付手順に基づいて説明する。
【００４１】
絶縁保護カバー１０の取り付けに先立って、第２上面カバー部２３の上面２３ｃに取り付けられた帯状体３０を２つ折りにして面ファスナ３１Ｆを面ファスナ２３Ｆに接合して帯状体３０が第２上面カバー部２３の上面２３ｃに折り畳まれた状態で保持し、同様に第２上面カバー部２４の上面２４ｃに取り付けられた帯状体３３を２つ折りにして面ファスナ３４Ｆを面ファスナ２３Ｆに接合して帯状体３３を第２上面カバー部２４に折り畳まれた状態に保持して準備する。
【００４２】
次に、図１及び図５（ａ）に示すように、第１カバー本体１１を上方にして順に下面カバー部３６、３７、及び第２カバー本体２１が垂下した状態で第１カバー本体１１の把持部１９を絶縁作業工具、例えば絶縁ヤットコ１００によって把持し、絶縁ヤットコ１００の操作により絶縁保護カバー１０の取付部となる腕金１の碍子取付部に誘導し、第１カバー本体１１の第１碍子保持部１５の開放部をピン碍子６の碍子本体７と対向せしめる。
【００４３】
そして、第１碍子保持部１５の側壁部１６の端縁１６ａ及び側壁部１７の端縁１７ａをそれぞれ碍子本体７のスカート部７ｂに沿って誘導して第１碍子保持部１５内に碍子本体７を収容して嵌合する一方、各第１上面カバー部１３、１４を腕金１の上面２に沿って移動して第１側面カバー部１２を腕金１の第１側面３に当接させて腕金１及びピン碍子６に対する絶縁保護カバー１０の位置決めをする。
【００４４】
この状態から第１カバー本体１１を下降移動し、図５（ｂ）に示すように第１上面カバー部１３、１４を腕金１の上面２に係止する。これにより、第１上面カバー部１３、１４の下面１３ｄ、１４ｄに設けられた永久磁石１３Ｍ、１４Ｍが腕金１の上面２に吸着して第１カバー本体１１が腕金１に固定される。この絶縁保護カバー１０の腕金１及びピン碍子６に対する位置決め及び腕金１への取り付けは、第１碍子保持部１５の側壁部１６、１７の端縁１６ａ、１７ａをそれぞれ碍子本体７のスカート部７ｂに沿って誘導して嵌合する簡単な作業で容易に行える。
【００４５】
この第１カバー本体１１の第１碍子保持部１５が碍子本体７に嵌合し、第１上面カバー部１３、１４が腕金１の上面２に係合すると共に第１側面カバー部１２が第１側面２を被覆して腕金１に取り付けられた状態で、図５（ｂ）に示すように第２カバー本体２１の把持部２９を絶縁ヤットコ１００で把持し、絶縁ヤットコ１００の操作により、図５（ｃ）に示すように、ヒンジ３６ａ、３７ａを中心に下面カバー部３６、３７を上方に揺動して腕金１の下面５に当接させる。ここで、永久磁石１３Ｍ、１４Ｍによって腕金１に安定的に固定保持された第１カバー本体１１の下縁１２ｂにヒンジ３６ａ、３７ａを介して下面カバー部３６、３７が支持されることから、ヒンジ３６ａ、３７ａを中心とする下面カバー部３６、３７の揺動が容易にかつ確実に行える。
【００４６】
この下面カバー部３６、３７が腕金１の下面５に当接した状態で、更に第２カバー本体２１を押し上げるようにヒンジ３６ｂ、３７ｂを中心に上方に揺動操作する。この第２カバー本体２１の揺動により、図５（ｄ）のように第２カバー本体２１の第２側面カバー部２２が腕金１の第２側面４を被覆し、かつ第２上面カバー部２３、２４が腕金１の上面２を被覆し、第２上面カバー部２３、２４の端縁２３ａ、２４ａが第１上面カバー部１３、１４の端縁１３ａ、１４ａと対向する。更に第２碍子保持部２５の側壁部２６の端縁２６ａ及び側壁部２７の端縁２７ａをそれぞれ碍子本体７のスカート部７ｂに沿って誘導して第２碍子保持部２５が碍子本体７に嵌合すると共に側壁部２６、２７の端縁２６ａ、２７ａが第１碍子保持部１５の側壁部１６、１７の端縁１６ａ、１７ａに当接して互いの永久磁石１６Ｍと２６Ｍ、永久磁石１７Ｍと２７Ｍが吸着して第１カバー本体１１と第２カバー本体２１が仮固定される。
【００４７】
ここで、永久磁石１３Ｍ、１４Ｍによって腕金１に安定的に固定保持された第１カバー本体１１にヒンジ３６ａ、３７ａを介して支持された下面カバー部３６、３７が腕金１の下面５に当設して下面カバー部３６、３７が安定した状態で保持され、この下面カバー部３６、３７にヒンジを３６ｂ、３７ｂを介して第２カバー本体２１の下縁２１ｂが支持されることから、ヒンジ３６ｂ、３７ｂを中心とする第２カバー本体２１の揺動が容易にかつ確実に行える。
【００４８】
この仮固定状態において、腕金１の上面２が第１カバー本体１１の第１上面カバー部１３、１４、第２カバー本体２１の第２上面カバー部２３、２４によって被覆され、第１側面３が第１カバー本体１の第１側面カバー部１２によって被覆され、第２側面４が第２カバー本体１の第２側面カバー部２２によって被覆され、下面５が下面カバー部３６、３７によって被覆され、更に碍子本体７のキャップ部分７ａ、ネック部７ｃが露出した状態でスカート部７ｂが第１碍子保持部１５及び第２碍子保持部２５によって被覆される。
【００４９】
この永久磁石１６Ｍと２６Ｍ、１７Ｍと２７Ｍの吸着によって第１カバー本体１１と第２カバー本体２１が仮固定され状態で、図６（ａ）に示すように第２上面カバー部２３の上面２３ｃにおいて先端面に貼設された面ファスナ３１Ｆを面ファスナ２３Ｆに接合することで２つ折り状態に保持された帯状体３０の先端に図示しない絶縁作業棒の先端に形成されたフックを係止して、図６（ｂ）に示すように面ファスナ２３Ｆから面ファスナ３１Ｆを引き離し、即ち剥離し、更に基端部が第２上面カバー部２３に固定された帯状体３０を反転する。そして図６（ｃ）に示すように帯状体３０の先端部に貼設された面ファスナ３２Ｆを第１上面カバー部１３上の面ファスナ１３Ｆに接合する。これにより基端部が第２上面カバー２３に固定された帯状体３０の先端部が互いに接合する面ファスナ３２Ｆと面ファスナ１３Ｆによって第１上面カバー部１３に連結されて第１上面カバー部１３と第２上面カバー部２３が強固に連結される。
【００５０】
同様に、第２上面カバー部２４の上面２４ｃにおいて帯状体３３の先端部に貼設された面ファスナ３４Ｆを面ファスナ２４Ｆから剥離し、帯状体３３の先端部に貼設された面ファスナ３５Ｆを第１上面カバー部１４上の面ファスナ１４Ｆに接合する。これにより基端部が第２上面カバー２４に固定された帯状体３３の先端部が互いに接合する面ファスナ３５Ｆと面ファスナ１４Ｆによって第１上面カバー部１４に連結されて第１上面カバー部１４と第２上面カバー部２４が強固に連結される。
【００５１】
これにより、腕金１の上面２が予め設定された被覆幅に亘って第１上面カバー部１３、１４及び第２上面カバー部２３、２４によって絶縁被覆され、第１側面３が第１カバー本体１１の第１側面カバー部１２によって、第２側面４が第２カバー本体２１の第２側面カバー部２２によって、更に下面５が下面カバー部３６、３７によってそれぞれ絶縁被覆され、予め設定された被覆幅に亘って腕金１の全周が絶縁被覆される。更に、第１碍子保持部１５及び第２碍子保持部２５によってキャップ部７ａ及びネック部７ｃが突出した状態で碍子本体７のスカート部７ｂが絶縁被覆され、碍子６のネック部７ｃに配電線を係留させる等の活線状態で配線工事等をする際、良好に地絡・短絡を防止して安全化を図ることができる。更に、碍子本体７に第１碍子保持部１５及び第２碍子保持部２５が嵌合して配電工事中に絶縁保護カバー１０が腕金１の碍子取付部１Ａからずれ落ちることが防止できる。
【００５２】
一方、絶縁保護カバー１０を取り外す作業は、取り付け手順とは逆に、絶縁ヤットコ１００等によって、面ファスナ１３Ｆから面ファスナ３２Ｆを剥離して第１上面カバー部１３と第２上面カバー部２３との帯状体３０及び面ファスナ１４Ｆ、３２Ｆによる連結を解除し、同様に面ファスナ１４Ｆから面ファスナ３５Ｆを剥離して第１上面カバー部１４と第２上面カバー部２４との帯状体３３及び面ファスナ１４Ｆ、３５Ｆによる連結を解除する。
【００５３】
そして、第２カバー本体２１の把持部２９を絶縁ヤットコ１００で把持し、永久磁石１６Ｍと２６Ｍ、１７Ｍと２７Ｍの吸着に抗して第１碍子保持部１５から第２碍子保持部２５を引き離し、かつ下方に揺動して、図５（ｂ）に示すように第１カバー本体１１から下面カバー部３６、３７及び第２カバー本体２１を垂下させる。この状態で、第１カバー本体１１の把持部１９を絶縁ヤットコ１００で把持し、永久磁石１３Ｍ、１４Ｍの吸着に抗して腕金１から第１カバー本体１１を引き離すことによって絶縁保護カバー１０が腕金１から取り外される。
【００５４】
従って、本実施の形態による絶縁保護カバー１０によると、絶縁ヤットコ１００等の操作により第１カバー本体１１の把持部１９を把持して、第１碍子保持部１５を碍子本体７に嵌合させて腕金１０に上面カバー部１３、１４を腕金１の上面２に係止することで、永久磁石１３Ｍ、１４Ｍが腕金１に吸着して第１カバー本体１１が腕金１に位置決めされた状態で固定された状態で第２カバー本体２１の把持部２９を絶縁ヤットコ１００で把持し、ヒンジ３６ａ、３７ａを中心に下面カバー部３６、３７を揺動して腕金１の下面５に当接させた後、第２カバー本体２１を上方に揺動することで永久磁石１６Ｍと２６Ｍ、永久磁石１７Ｍと２７Ｍが吸着して第１カバー本体１１と第２カバー本体２１が仮固定される。この仮固定された状態で帯状体３０の先端部の面ファスナ３２Ｆを第１上面カバー部１３の面ファスナ１３Ｆに接合し、帯状体３３の先端部の面ファスナ３５Ｆを第１上面カバー部１４に貼設されている面ファスナ１４Ｆに接合する簡単な作業により絶縁保護カバー１０を強固に所定位置に取り付けることができる。
【００５５】
また、永久磁石１６Ｍ、２６Ｍ及び永久磁石１７Ｍ、２７Ｍは第１碍子保持部１５と第２碍子保持部２５を仮固定するに十分な吸着力が確保できる比較的小さな吸引力でよく、絶縁保護カバー１０の取り付け及び取り外しの作業性に優れる。
【００５６】
なお、碍子本体７を収容可能な断面円弧状に形成することもできる。また、平行配置された下面カバー部３６、３７を、中央部にナット９等の収容を可能にする孔を備えた単一の板状部材によって形成することもできる。
【００５７】
（第２実施の形態）
本発明の間接活線工事絶縁保護カバーの第２実施の形態を、図７乃至図９を参照して説明する。なお、図７乃至図９において上記図１乃至図６と対応する部分に同一符号を付することで該部の詳細な説明を省略する。
【００５８】
図７は腕金及びピン碍子と絶縁保護カバーの展開状態を示す説明図、図８は絶縁保護カバーの装着状態を示す斜視図、図９は絶縁保護カバーの取付手順の説明図である。
【００５９】
絶縁保護カバー４０は、図７に展開状態を示し、図８に取り付け状態を示すように合成樹脂で形成された第１カバー本体４１、第２カバー本体４５によって構成される。
【００６０】
第１カバー本体４１は、予め設定された腕金１の被覆幅に亘って第１側面３を被覆可能な矩形平板状の第１側面カバー部１２と、この第１側面カバー部１２の上縁１２ａに沿ってＬ字状に折曲して腕金１の上面２の一部、本実施の形態では上面２の約１／２の幅に亘って被覆可能な矩形平板状の第１上面カバー部１３、１４及び側壁部１６、１７、１８によって形成される半割筒状の第１碍子保持部１５を有する。
【００６１】
第１側面カバー部１２の下縁１２ｂに沿って腕金１の下面５の約１／２の幅に亘って被覆可能で下縁１２ｂから先端縁４２ａに移行するに従って第１上面カバー部１３、１４から離間するように第１側面カバー部１２に対して傾斜して延在する矩形板状の第１連結部４２が一体形成される。更に、第１側面カバー部１２の外面にリブ状に突出する把持部１９が形成される。
【００６２】
各第１上面カバー部１３、１４の下面１３ｂ、１４ｂ及び第１碍子保持部１５の側壁部１６、１７の端縁１６ａ、１７ａに永久磁石１３Ｍ、１４Ｍ、１６Ｍ、１７Ｍが設けられる。また、各第１上面カバー部１３、１４の上面１３ｃ、１４ｃにそれぞれ帯状の面ファスナ１３Ｆ、１４Ｆが貼着される。
【００６３】
第２カバー本体４５は、第１カバー本体４１とほぼ同形状で、予め設定された腕金１の被覆幅に亘って第２側面４を被覆可能な矩形平板状の第２側面カバー部２２と、この第２側面カバー部２２の上縁２２ａに沿ってＬ字状に折曲して腕金１の上面２をその一部、例えば約１／２の幅に亘って被覆可能な矩形平板状の第２上面カバー部２３、２４及び側壁部２６、２７、２８によって形成される半割筒状の第２碍子保持部２５を有する。
【００６４】
第２側面カバー部２２の下縁２２ｂに沿って腕金１の下面５の約１／２の幅に亘って被覆可能で下縁２２ｂから先端縁４６ａに移行するに従って第２上面カバー部２３、２４から離間するように第２側面カバー部２２に対して傾斜して延在する矩形板状の第２連結部４６が一体形成される。更に、第２側面カバー部２２の外面にリブ状に突出する把持部２９が形成される。
【００６５】
第２碍子保持部２５の各側壁部２６、２７の端縁２６ａ、２７ａに第１碍子保持部１５の各側壁部１６、１７に設けられた永久磁石１６Ｍ、１７Ｍと吸着可能な永久磁石２６Ｍ、２７Ｍが設けられる。
【００６６】
また、第２上面カバー部２３の上面２３ｃに可撓性の帯状体３０の基端部が取り付けられる。この帯状体３０の基端部上に帯状の面ファスナ２３Ｆが貼着され、先端部の両面にそれぞれ帯状の面ファスナ３１Ｆ、３２Ｆが貼設されている。同様に、第２上面カバー部２４の上面２４ｃに可撓性の帯状体３３の基端部が取り付けられ、この帯状体３３の基端部上に帯状の面ファスナ２４Ｆが貼着され、帯状体３３の先端部の両面に面ファスナ３４Ｆ及び３５Ｆ（図示省略）が貼設される。
【００６７】
これら第１カバー本体４１の第１連結部４２の先端４２ａと第２カバー本体４５の第２連結部４６の先端４６ａは互いに先端４２ａ及び４６ａに沿って延在するヒンジ４７を介して揺動可能に連結される。
【００６８】
次に、絶縁保護カバー４０の取り付け方法について、図９に示す取付手順に基づいて説明する。
【００６９】
絶縁保護カバー４０の取り付けに先立って、第２上面カバー部２３の上面２３ｃに取り付けられた帯状体３０を２つ折りにして面ファスナ３１Ｆを面ファスナ２３Ｆに接合して帯状体３０が第２上面カバー部２３の上面２３ｃに折り畳まれた状態で保持し、同様に第２上面カバー部２４の上面２４ｃに取り付けられた帯状体３３を２つ折りにして面ファスナ３４Ｆを面ファスナ２３Ｆに接合して帯状体３３を第２上面カバー部２４に保持して準備する。
【００７０】
次に、図７及び図９（ａ）に示すように、第１カバー本体４１を上方にしてヒンジ４７を介して第２カバー本体４５が垂下した状態で第１カバー本体４１の把持部１９を絶縁作業工具、例えば絶縁ヤットコ１００によって把持し、絶縁ヤットコ１００の操作により絶縁保護カバー４０の取付部となる腕金１の碍子取付部１Ａに誘導し、第１カバー本体４１の第１碍子保持部１５をピン碍子６の碍子本体７と対向せしめる。
【００７１】
そして、第１碍子保持部１５の側壁部１６の端縁１６ａ及び側壁部１７の端縁１７ａをそれぞれ碍子本体７のスカート部７ｂに沿って誘導して碍子本体７を収容する一方、各第１上面カバー部１３、１４を腕金１の上面２に沿って移動させ、第１側面カバー部１２が腕金１の第１側面３に当接させて腕金１及びピン碍子６に対する絶縁保護カバー４０の位置決めをする。この状態から第１カバー本体１１を下降移動して図９（ｂ）に示すように第１上面カバー部１３、１４を腕金１の上面２に係止する。これにより、第１上面カバー部１３、１４の下面１３ｂ、１４ｂに設けられた永久磁石１３Ｍ、１４Ｍが腕金１の上面２に吸着して第１カバー本体４１が腕金１に固定される。
【００７２】
この第１カバー本体４１の第１碍子保持部１５が碍子本体７に嵌合し、第１上面カバー部１３、１４が腕金１の上面２に係合すると共に第１側面カバー部１２が第１側面２を被覆して腕金１に保持された状態で、図９（ｂ）に示すように第２カバー本体４５の把持部２９を絶縁ヤットコ１００で把持する。
【００７３】
そして、絶縁ヤットコ１００の操作により、図９（ｃ）に示すようにヒンジ４７を中心に第２カバー本体４５を上方に揺動して第２カバー本体４５の第２側面カバー部２２が腕金１の第２側面４を被覆し、かつ第２上面カバー部２３、２４が腕金１の上面２を被覆し、第２上面カバー部２３、２４の端縁２３ｂ、２４ｂを第１上面カバー部１３、１４の端縁１３ａ、１４ａに対向させると共に、第２碍子保持部２５の側壁部２６の端縁２６ａ及び側壁部２７の端縁２７ａをそれぞれ碍子本体７のスカート部７ｂに沿って誘導して開放部２５Ａ内に碍子本体７を収容して第２碍子保持部２６が碍子本体７に嵌合すると共に側壁部２６、２７の端縁２６ａ、２７ａが第１碍子保持部１５の側壁部１６、１７の端縁１６ａ、１７ａに当接して互いの永久磁石１６Ｍと２６Ｍ、永久磁石１７Ｍと２７Ｍが吸着して第１カバー本体４１と第２カバー本体４５が仮固定される。ここで、永久磁石１３Ｍ、１４Ｍによって腕金１に安定的に固定保持された第１カバー本体４１の第１連結部４２の先端縁４２ａにヒンジ４７を介して第２カバー本体４５の第２連結部４６が支持されることから、ヒンジ４７を中心とする第２カバー本体４５の揺動が容易にかつ確実に行うことができる。
【００７４】
この仮固定状態において、腕金１の上面２が第１カバー本体４１の第１上面カバー部１３、１４、第２カバー本体４５の第２上面カバー部２３、２４によって被覆され、第１側面３が第１カバー本体４１の第１側面カバー部１２によって被覆され、第２側面４が第２カバー本体４５の第２側面カバー部２２によって被覆され、下面５が第１カバー本体４１の第１連結部４２及び第２カバー本体４５の第２連結部４６によって被覆され、更に碍子本体７のキャップ部分７ａ、ネック部７ｃが露出した状態でスカート部７ｂが第１碍子保持部１５及び第２碍子保持部２５によって被覆される。
【００７５】
この永久磁石１６Ｍと２６Ｍ、永久磁石１７Ｍと２７Ｍの吸着によって第１カバー本体１１と第２カバー本体２１が仮固定され状態で、図９（ｄ）及び図８に示すように第２上面カバー部２３の上面２３ｃにおいて先端部に貼設された面ファスナ３１Ｆを面ファスナ２３Ｆから剥離し、面ファスナ３２Ｆを第１上面カバー部１３に貼設されている面ファスナ１３Ｆに接合する。これにより基端が第２上面カバー２３に固定された帯状体３０の先端部が互いに接合する面ファスナ３２Ｆと面ファスナ１３Ｆによって第１上面カバー部１３に連結されて第１上面カバー部１３と第２上面カバー部２３が連結される。同様に、第２上面カバー部２４の上面２４ｄにおいて帯状体３３の先端面に貼設された面ファスナ３４Ｆを面ファスナ２４Ｆから剥離し、帯状体３３の先端部に貼設された面ファスナ３５Ｆを第１上面カバー部１４に貼設されている面ファスナ１４Ｆに接合する。これにより基端が第２上面カバー２４に固定された帯状体３３の先端部が互いに接合する面ファスナ３５Ｆと面ファスナ１４Ｆによって第１上面カバー部１４に連結されて第１上面カバー部１４と第２上面カバー部２４が連結される。
【００７６】
これにより、腕金１の上面２が予め設定された被覆幅に亘って第１上面カバー部１３、１４及び第２上面カバー部２３、２４によって絶縁被覆され、第１側面３が第１カバー本体４１の第１側面カバー部１２によって、第２側面４が第２カバー本体４５の第２側面カバー部２２によって絶縁被覆される。更に下面５が第１カバー本体４１の第１連結部４２及び第２カバー本体４５の第２連結部４６によって絶縁被覆される。更に、第１碍子保持部１５及び第２碍子保持部２５によってキャップ部７ａ及びネック部７ｃが突出した状態で碍子本体７のスカート部７ｂが絶縁被覆され、碍子６のネック部７ｃに配電線を係留させる等の活線状態で配線工事等をする際、良好に地絡・短絡を防止して安全化を図ることができる。更に、碍子本体７に第１碍子保持部１５及び第２碍子保持部２５が嵌合して配電工事中に絶縁保護カバー４０が腕金１の碍子取付部からずれ落ちることが防止できる。
【００７７】
一方、絶縁保護カバー４０を取り外す作業は、取り付け手順とは逆に、絶縁ヤットコ１００等によって、面ファスナ１３Ｆから面ファスナ３２Ｆを剥離して第１上面カバー部１３と第２上面カバー部２３との帯状体３０及び面ファスナ１４Ｆ、３２Ｆによる連結を解除し、同様に面ファスナ１４Ｆから面ファスナ３５を剥離して第１上面カバー部１４と第２上面カバー部２４との帯状体３３及び面ファスナ１４Ｆ、３５Ｆによる連結を解除する。
【００７８】
そして、第２カバー本体４１の把持部２９を絶縁ヤットコ１００で把持し、永久磁石１６Ｍと２６Ｍ及び永久磁石１７Ｍと２７Ｍの吸着に抗して第１碍子保持部１５から第２碍子保持部２５を引き離し、かつ下方に揺動して、図９（ｂ）に示すように第１カバー本体４１から第２カバー本体４５を垂下させる。この状態で、第１カバー本体４１の把持部１９を絶縁ヤットコ１００で把持し、永久磁石１３Ｍ、１４Ｍの吸着に抗して腕金１から第１カバー本体４１を引き離すことによって絶縁保護カバー１０が腕金１及びピン碍子６から取り外される。
【００７９】
従って、本実施の形態による絶縁保護カバー４０によると、絶縁ヤットコ１００等の操作により第１カバー本体４１の把持部１９を把持して、第１碍子保持部１５を碍子本体７に嵌合させて腕金１に上面カバー部１３、１４を腕金１の上面２に係止することで、永久磁石１３Ｍ、１４Ｍが腕金１に吸着して第１カバー本体１１が腕金１に位置決めされた状態で固定され、この第１カバー本体４１が腕金１に固定された状態で第２カバー本体２１の把持部２９を絶縁ヤットコ１００で把持し、ヒンジ４７を中心に第２カバー本体４５を上方に揺動することで永久磁石１６Ｍと２６Ｍ、永久磁石１７Ｍと２７Ｍが吸着して第１カバー本体４１と第２カバー本体４５が仮固定される。この仮固定された状態で帯状体３０の先端部の面ファスナ３２Ｆを第１上面カバー部１３の面ファスナ１３Ｆに接合し、帯状体３３の先端部の面ファスナ３５Ｆを第１上面カバー部１４に貼設されている面ファスナ１４Ｆに接合する簡単な作業により絶縁保護カバー４０を強固に所定位置に取り付けることができる。
【００８０】
（第３実施の形態）
本発明の間接活線工事絶縁保護カバーの第３実施の形態を、図１０乃至図１６を参照して説明する。なお、図１０乃至図１６において上記図１乃至図６と対応する部分に同一符号を付することで説明の簡素化を図るため該部の詳細な説明を省略する。
【００８１】
図１０は絶縁保護カバー５０の展開状態を示す説明図、図１１はホルダの側面図、図１２は絶縁保護カバーの絶縁保護カバーの装着状態を示す斜視図、図１３は図１２のＸＩＩＩ矢視図である。
【００８２】
絶縁保護カバー５０は、図１０に展開状態を示し、図１２及び図１３に取り付け状態を示すように合成樹脂で形成された第１カバー本体５１、第２カバー本体５５及び第１カバー本体５１と第２カバー本体５５を連結するホルダ６０によって構成される。
【００８３】
第１カバー本体５１は、予め設定された腕金１の被覆幅に亘って第１側面３を被覆可能な矩形平板状の第１側面カバー部１２と、この第１側面カバー部１２の上縁１２ａに沿って折曲して腕金１の上面２の一部、本実施の形態では上面２の約１／２の幅に亘って被覆可能な矩形平板状の第１上面カバー部１３、１４及び側壁部１６、１７、１８によって形成される半割筒状の第１碍子保持部１５を有する。
【００８４】
第１側面カバー部１２の下縁１２ｂに、下縁１２ｂから先端縁５２ａに移行するに従って第１上面カバー部１３、１４から離間するように第１側面カバー部１２に対して傾斜すると共に、次第に狭くなる台形板状の第１連結部５２が一体形成される。更に、第１側面カバー部１２の外面にリブ状に突出する把持部１９が形成される。
【００８５】
第１碍子保持部１５の側壁部１６、１７の端縁１６ａ、１７ａに永久磁石１６Ｍ、１７Ｍが設けられる。また、各第１上面カバー部１３、１４の上面１３ｃ、１４ｃにそれぞれ帯状の面ファスナ１３Ｆ、１４Ｆが貼着される。
【００８６】
第２カバー本体５５は、第１カバー本体５１とほぼ同形状で、腕金１の第２側面４を被覆可能な矩形平板状の第２側面カバー部２２と、この第２側面カバー部２２の上縁２２ａに沿って折曲して腕金１の上面２の一部、本実施の形態では上面２の約１／２の幅に亘って被覆可能な矩形平板状の第２上面カバー部２３、２４及び半割筒状の第２碍子保持部２５を有する。
【００８７】
第２側面カバー部２２の下縁２２ｂに、下縁２２ｂから先端縁５６ａに移行するに従って第２上面カバー部２３、２４から離間するように第２側面カバー部２２に対して傾斜すると共に次第に狭くなる台形板状の第２連結部５６が一体形成される。更に、第２側面カバー部２２の外面にリブ状に突出する把持部２９が形成される。
【００８８】
第２碍子保持部２５の各側壁部２６、２７の端縁２６ａ、２７ａに第１碍子保持部１５の各側壁部１６、１７に設けられた永久磁石１６Ｍ、１７Ｍと吸着可能な永久磁石２６Ｍ、２７Ｍが設けられる。
【００８９】
また、第２上面カバー部２３の上面２３ｃに可撓性の帯状体３０の基端部が取り付けられ、この帯状体３０の基端部上に帯状の面ファスナ２３Ｆが貼着され、帯状体３０の先端部の両面に帯状の面ファスナ３１Ｆ、３２Ｆが貼設されている。同様に、第２上面カバー部２４の上面２４ｃに可撓性の帯状体３３の基端部が取り付けられ、この帯状体３３の基端部上に面ファスナ２４Ｆが貼着され、帯状体３３の先端部の両面に面ファスナ３４Ｆ、３５Ｆが貼設される。
【００９０】
ホルダ６０は、図１０に示すと共に図１１（ａ）に図１０のＸＩ矢視拡大図及び図１１（ｂ）に側面図を示すように、腕金１の下面５から突出する支持ピン６のボルト部８ａに装着可能な装着部となる内孔６２を有する外形が矩形の筒状のホルダ本体６１を有し、ホルダ本体６１の外周に側面視ホルダ本体６１の延在方向と直交すると共に平行位置された揺動中心軸線６３ａ及び６４ａを有して第１連結部５２の先端縁５２ａを揺動自在に連結する第１ヒンジ６３及び第２連結部５６の先端縁５６ａを揺動自在に連結する第２ヒンジ６４が形成される。装着部となるホルダ６１の内孔６２に円筒状で内周に軸方向延在する複数の突条６５ａが放射状に形成されたゴム等の弾性材からなるブッシュ６５が装着される。
【００９１】
これにより、ホルダ本体６１に第１ヒンジ６３及び第２ヒンジ６４を介在して第１カバー本体５１及び第２カバー本体５５が揺動可能に連結し、ホルダ本体６１の内孔６２とピン碍子５の支持ピン８のボルト部８ａを嵌合することでボルト部８ａがブッシュ６５によって弾性保持され、ホルダ６０がボルト部８ａに保持される。
【００９２】
また、腕金１の下面５から突出する支持ピン６のボルト部８ａにホルダ６０を嵌合保持した状態で、第１ヒンジ６３を中心に第１カバー本体５１を揺動することで第１側面カバー部１２及び第１上面カバー部２３，２４がそれぞれ腕金２０の第１側面３及び上面２を被覆可能な状態に移動し、かつ、第２ヒンジ６４を中心に第２カバー本体５５を揺動することで第２側面４及び上面２を被覆可能な状態となるよう設定される。
【００９３】
次に、絶縁保護カバー５０の取り付け方法について、図１４に示す取付手順に基づいて説明する。
【００９４】
絶縁保護カバー５０の取り付けに先立って、第２上面カバー部２３の上面２３ｃに取り付けられた帯状体３０を２つ折りにして面ファスナ３１Ｆを面ファスナ２３Ｆに接合して帯状体３０が第２上面カバー部２３の上面２３ｃに保持し、同様に第２上面カバー部２４の上面２４ｃに取り付けられた帯状体３３を２つ折りにして面ファスナ３４Ｆを面ファスナ２３Ｆに接合して帯状体３３を第２上面カバー部２４に保持して準備する。
【００９５】
次に、図１０或いは図１４（ａ）に示すように、第１カバー本体５１及び第２カバー本体５５が離れた展開された状態で、第１カバー本体５１の把持部１９，第２カバー本体５５の把持部２９或いはホルダ６０、本実施の形態では把持部１９を絶縁作業工具、例えば絶縁ヤットコ１００によって把持し、絶縁ヤットコ１００の操作によりホルダ６０を腕金１の下面５から突出する支持ピン８のボルト部８ａと対向させる。
【００９６】
腕金１の下面５から突出する支持ピン８のボルト部８ａに向けてホルダ６０を上昇させて、図１４（ｂ）に示すように支持ピン８のボルト部８ａに嵌合させる。これにより、ブッシュ６５が弾性変形してホルダ６０が支持ピン８のボルト部８ａに固定保持されて展開状態の絶縁保護カバー５０が腕金１に取り付けられる。
【００９７】
次に、絶縁ヤットコ１００により第１カバー本体５１の把持部１９を把持し、絶縁ヤットコ１００の操作により第１ヒンジ６３を揺動中心として第１カバー本体５１を上方に揺動する。この第１カバー本体５１の揺動により、図１４（ｃ）に示すように第１碍子保持部１５の側壁部１６の端縁１６ｂ及び側壁部１７の端縁１７ｂをそれぞれ碍子本体７のスカート部７ｂに沿って誘導して碍子本体７を第１碍子保持部１５が収容する一方、各第１上面カバー部１３、１４が腕金１の上面２に沿って移動して第１側面カバー部１２が腕金１の第１側面３に当接し、腕金１及びピン碍子６に対する絶縁保護カバー４０の位置決めがなされる。ここで 、支持ピン８によって腕金１に安定的に固定保持されたホルダ６０の第１ヒンジ６３を介して、第１カバー本体５１の第１連結部５２の先端縁５２ａが支持されることから、第１ヒンジ６３を中心とする第１カバー本体５１の揺動が容易にかつ確実に行うことができる。
【００９８】
同様に、この第１カバー本体６１の第１碍子保持部１５が碍子本体７に嵌合し、第１上面カバー部１３、１４が腕金１の上面２に係合すると共に第１側面カバー部１２が第１側面２を被覆して腕金１に保持された状態で、第２カバー本体５５の把持部２９を絶縁ヤットコ１００で把持する。
【００９９】
そして、絶縁ヤットコ１００の操作により、図１４（ｄ）に示すように第２ヒンジ６４を中心に第２カバー本体５５を上方に揺動して第２カバー本体４５の第２側面カバー部２２が腕金１の第２側面４を被覆し、かつ第２上面カバー部２３、２４が腕金１の上面２を被覆し、第２上面カバー部２３、２４の端縁２３ａ、２４ａを第１上面カバー部１３、１４の端縁１３ａ、１４ａに対向させると共に、第２碍子保持部２５の側壁部２６の端縁２６ａ及び側壁部２７の端縁２７ａをそれぞれ碍子本体７のスカート部７ｂに沿って誘導して第２碍子保持部２６が碍子本体７に嵌合すると共に側壁部２６、２７の端縁２６ａ、２７ａが第１碍子保持部１５の側壁部１６、１７の端縁１６ａ、１７ａに当接して互いの永久磁石１６Ｍと２６Ｍ、永久磁石１７Ｍと２７Ｍが吸着して第１カバー本体４１と第２カバー本体４５が仮固定される。ここで 、支持ピン８によって腕金１に安定的に固定保持されたホルダ６０の第２ヒンジ６４を介して、第２カバー本体５５の第２連結部５６の先端縁５６ａが支持されることから、第２ヒンジ６４を中心とする第２カバー本体５５の揺動が容易にかつ確実に行うことができる。
【０１００】
この仮固定状態において、腕金１の上面２が第１カバー本体５１の第１上面カバー部１３、１４、第２カバー本体５５の第２上面カバー部２３、２４によって被覆され、第１側面３が第１カバー本体５１の第１側面カバー部１２によって被覆され、第２側面４が第２カバー本体５５の第２側面カバー部２２によって被覆され、下面５が第１カバー本体５１の第１連結部５２及び第２カバー本体５５の第２連結部５６によって被覆され、更に碍子本体７のキャップ部分７ａ、ネック部７ｃが露出した状態でスカート部７ｂが第１碍子保持部１５及び第２碍子保持部２５によって被覆される。
【０１０１】
この永久磁石１６Ｍと２６Ｍ、永久磁石１７Ｍと２７Ｍの吸着によって第１カバー本体５１と第２カバー本体５５が仮固定され状態で、図１４（ｅ）及び図１３に示すように第２上面カバー部２３の上面２３ｃにおいて先端部に貼設された面ファスナ３１Ｆを面ファスナ２３Ｆから剥離し、面ファスナ３２Ｆを第１上面カバー部１３に貼設されている面ファスナ１３Ｆに接合する。これにより基端が第２上面カバー２３に固定された帯状体３０の先端部が互いに接合する面ファスナ３２Ｆと面ファスナ１３Ｆによって第１上面カバー部１３に連結されて第１上面カバー部１３と第２上面カバー部２３が連結される。同様に、第２上面カバー部２４の上面２４ｃにおいて帯状体３３の先端面に貼設された面ファスナ３４Ｆを面ファスナ２４Ｆから剥離し、帯状体３３の先端に貼設された面ファスナ３５Ｆを第１上面カバー部１４に貼設されている面ファスナ１４Ｆに接合する。これにより基端が第２上面カバー２４に固定された帯状体３３の先端部が互いに接合する面ファスナ３５Ｆと面ファスナ１４Ｆによって第１上面カバー部１４に連結されて第１上面カバー部１４と第２上面カバー部２４が連結される。
【０１０２】
これにより、腕金１の上面２が予め設定された被覆幅に亘って第１上面カバー部１３、１４及び第２上面カバー部２３、２４によって絶縁被覆され、第１側面３が第１カバー本体５１の第１側面カバー部１２によって、第２側面４が第２カバー本体５５の第２側面カバー部２２によって絶縁被覆さ、下面５が第１カバー本体５１の第１連結部５２及び第２カバー本体５５の第２連結部５６によって絶縁被覆される。更に、第１碍子保持部１５及び第２碍子保持部２５によってキャップ部７ａ及びネック部７ｃが突出した状態で碍子本体７のスカート部７ｂが絶縁被覆され、碍子６のネック部７ｃに配電線を係留させる等の活線状態で配線工事等をする際、良好に地絡・短絡を防止して安全化を図ることができる。更に、碍子本体７に第１碍子保持部１５及び第２碍子保持部２５が嵌合して配電工事中に絶縁保護カバー４０が腕金１の碍子取付部からずれ落ちることが防止できる。
【０１０３】
一方、絶縁保護カバー５０を取り外す作業は、取り付け手順とは逆に、絶縁ヤットコ１００等によって、面ファスナ１３Ｆから面ファスナ３２Ｆを剥離して第１上面カバー部１３と第２上面カバー部２３との帯状体３０及び面ファスナ１３Ｆ、３２Ｆによる連結を解除し、同様に面ファスナ１４Ｆから面ファスナ３５Ｆを剥離して第１上面カバー部１４と第２上面カバー部２４との帯状体３３及び面ファスナ１４Ｆ、３５Ｆによる連結を解除する。
【０１０４】
そして、第１カバー本体５１の把持部１９を絶縁ヤットコ１００で把持し、永久磁石１６Ｍと２６Ｍ及び永久磁石１７Ｍと２７Ｍの吸着に抗して第１碍子保持部１５を第２碍子保持部２５から引き離しかつ第１ヒンジ６３を中心に下方に揺動し、同様に第２カバー本体５５の把持部２９を絶縁ヤットコ１００で把持して第２ヒンジ６４を中心に下方に揺動して図１４（ｂ）に示すように、第１カバー本体５１及び第２カバー本体５５が離れた展開された状態でホルダ６０が腕金１の下面５から突出する支持ピン８のボルト部８ａに支持される。そして、絶縁ヤットコ１００の操作によりホルダ６０を腕金１の下面５から突出する支持ピン８のボルト部８ａから引き離し絶縁保護カバー５０を回収する。
【０１０５】
従って、本実施の形態による絶縁保護カバー５０によると、絶縁ヤットコ１００等の操作によりホルダ６０を腕金１に設けられた支持ピン８のボルト部８ａに取り付け、第１ヒンジ６３を中心に第１カバー本体５１を揺動して第１碍子保持部１５を碍子本体７に嵌合させて上面カバー部１３、１４で腕金１の上面２を被覆し、第２ヒンジ６４を中心に第２カバー本体４５を上方に揺動することで永久磁石１６Ｍと２６Ｍ、永久磁石１７Ｍと２７Ｍが吸着して第１カバー本体５１と第２カバー本体５５が仮固定される。この仮固定された状態で帯状体３０の先端部の面ファスナ３２Ｆを第１上面カバー部１３の面ファスナ１３Ｆに接合し、帯状体３３の先端部の面ファスナ３５Ｆを第１上面カバー部１４に貼設されている面ファスナ１４Ｆに接合する簡単な作業により絶縁保護カバー４０を強固に所定位置に取り付けることができる。
【０１０６】
なお、上記実施の形態では、装着部となるホルダ６１の内孔６２に円筒状で内周に軸方向延在する複数の突条６５ａが放射状に形成されたゴム等の弾性材からなるブッシュ６５を装着したが、ブッシュ６５に代えて、図１５（ａ）に平面図を示し、図１５（ｂ）に側面図を示すように、内孔６２に沿って軸方向に延在する溝状の凹部６２ａを形成し、この凹部６２ａ内に支持ピン８に吸着する永久磁石６２Ｍを配設して構成することもできる。更に図１６（ａ）に平面図を示しかつ図１６（ｂ）に側面図を示すように内孔６２に沿って軸方向に延在する溝状の凹部６２ａに永久磁石６２Ｍは配設すると共に、内孔６２に複数の突条６５ａが放射状に形成されたゴム等の弾性材からなるブッシュ６５を装着することもできる。
【符号の説明】
【０１０７】
１          腕金
２          上面
３          第１側面
４          第２側面
５          下面
６          ピン碍子
８          支持ピン
８ａ        ボルト部
１０        絶縁保護カバー
１１        第１カバー本体
１２        第１側面カバー部
１２ａ      上縁
１２ｂ      下縁
１３、１４  第１上面カバー部
１３ａ、１４ａ  端縁
１５          第１碍子保持部
１９          把持部
１３Ｍ、１４Ｍ、１６Ｍ、１７Ｍ    マグネット
１３Ｆ、１４Ｆ  面ファスナ
２１        第２カバー本体
２２        第２側面カバー部
２２ａ      上縁
２２ｂ      下縁
２３、２４  第２上面カバー部
２３ａ、２４ａ  端縁
２５          第２碍子保持部
２９          把持部
２６Ｍ、２７Ｍ    マグネット
２３Ｆ、２４Ｆ、３１Ｆ、３２Ｆ、３４Ｆ、３５Ｆ      面ファスナ
３６ａ、３６ｂ、３７ａ、３７ｂ  ヒンジ
３６、３７    下面カバー部
４０          絶縁保護カバー
４１          第１カバー本体
４２          第１連結部
４６          第２連結部
５０          絶縁保護カバー
５１          第１カバー本体
５５          第２カバー本体
６０          ホルダ
【図１】
0005653692.tif 000002
【図２】
0005653692.tif 000003
【図３】
0005653692.tif 000004
【図４】
0005653692.tif 000005
【図５】
0005653692.tif 000006
【図６】
0005653692.tif 000007
【図７】
0005653692.tif 000008
【図８】
0005653692.tif 000009
【図９】
0005653692.tif 000010
【図１０】
0005653692.tif 000011
【図１１】
0005653692.tif 000012
【図１２】
0005653692.tif 000013
【図１３】
0005653692.tif 000014
【図１４】
0005653692.tif 000015
【図１５】
0005653692.tif 000016
【図１６】
0005653692.tif 000017